(57)【要約】      （修正有）【課題】通常のテーブルは、天板と支持脚とが一体となる構造ではなく、且つ、天板を折りたたむ構造ではなく、大きなスペースを占有し、持ち運びに不便であるという課題を解決した携帯用テーブルを提供する。【解決手段】第１テーブルプレート２、第２テーブルプレート３、２個のフラットテーブルフレーム４、テーブル脚５、リンクプレート、回転用リベット７を備える携帯用テーブルであって、前記フラットテーブルフレームがそれぞれ前記第１テーブルプレート及び前記第２テーブルプレートに略平行に緊結されており、前記リンクプレートを介して第１テーブルプレート及び第２テーブルプレートの側面が回動できるように設置されていることを特徴とする、携帯用テーブル１により課題を解決する。【選択図】図１
0003233900.tif 000002
【実用新案登録請求の範囲】
【請求項１】
第１テーブルプレート、第２テーブルプレート、２個のフラットテーブルフレーム、テーブル脚、リンクプレート、回転用リベットを備える携帯用テーブルであって、
前記第１テーブルプレートの上面及び前記第２テーブルプレートの上面が略平行に配置され、
前記フラットテーブルフレームの１つが前記第一テーブルプレートに略平行に緊結され、２つ目の前記フラットテーブルフレームが前記第２テーブルプレートに略平行に緊結されており、
前記リンクプレートの片側が前記第一テーブルプレートの側面に緊結され、該リンクプレートの他端の略端に第２テーブルフレームの側面が前記回転用リベットにより軸動できるように設置されていることを特徴とする、
携帯用テーブル。
【請求項２】
請求項１に記載の携帯テーブルであって、
前記第１テーブルプレートに１つの前記フラットテーブルフレームが前記第一テーブルプレートに略平行に固定用リベットによって緊結されていることを特徴とする、
携帯用テーブル。
【請求項３】
請求項1又は請求項２に記載の携帯用テーブルにおいて、
前記リンクプレートの片側が第一テーブルプレートの側面にスペーサを介して緊結され、該リンクプレートの他端の略端が第２テーブルフレームの側面に回転用ワッシャーを介して前記回転用リベットにより軸動できるように設置されていることを特徴とする、
携帯用テーブル。
【請求項４】
請求項1又は請求項３に記載の携帯用テーブルにおいて、
前記フラットテーブルフレームの両端にはそれぞれ貫通穴が設けられており、テーブル脚接続用ボルト及びナットによりテーブル脚が回動可能に取り付けられていることを特徴とする、
携帯用テーブル。
【請求項５】
請求項1から請求項４のいずれか１項に記載の携帯用テーブルにおいて、
前記テーブル脚はチャネル材であり、前記テーブル脚のチャンネルの内側の両壁とフラットテーブルフレームの側面とを回動できるように取り付けられ、ドアのように開閉できることを特徴とする、
携帯用テーブル。
【請求項６】
請求項1から請求項５のいずれか１項に記載の携帯用テーブルにおいて、
前記第１テーブルプレート２及び前記第２テーブルプレート３の側壁面には回転止めノッチが設けられており、前記第１テーブルプレート２と前記第２テーブルプレート３とを開いた時に、その開き角が制限され、前記第１テーブルプレート２の上面と前記第２テーブルプレート３の上面とが略平らになることを特徴とする、
携帯用テーブル。
【考案の詳細な説明】
【技術分野】
【０００１】
本考案は、家具の技術分野、特に耐荷重性のある携帯用の折りたたみテーブルの技術分野である。
【背景技術】
【０００２】
テーブルは、上面が平らで下に支持脚がある、一般的な家具の一種であり、物を置いたり、食べたり、書いたり、仕事をしたりすることに使用する。通常のテーブルは折りたたむことができず、テーブルの天板と支持脚とが取り外し可能な構造であり、一体的でない。また、既存のテーブルの天板は、大きなスペースを取り、持ち運びに不便な構造である。
【０００３】
このような状況において、特許２９５９７１６は、折畳んだ状態のときには、テ−ブル下面の基杆の内側に脚筒柱が同一面状になるように収納できるように構成したことを特徴とする薄型折りたたみテ−ブルについて特許を受けている。
【０００４】
【特許文献１】特許２９５９７１６
【考案の概要】
【考案が解決しようとする課題】
【０００５】
通常のテーブルは、天板と支持脚とが一体となる構造ではなく、且つ、天板を折りたたむ構造ではなく、大きなスペースを占有し、持ち運びに不便であるということが課題である。しかし、特許２９５９７１６はテーブル下面に収納した脚筒柱がテーブル裏面側で露出しており、折りたたみ後も嵩張り、また運搬又は携帯に不便である。
【課題を解決するための手段】
【０００６】
第１テーブルプレート２、第２テーブルプレート３、２個のフラットテーブルフレーム４、テーブル脚５、リンクプレート９、回転用リベット７を備える携帯用テーブルであって、
前記第１テーブルプレート２の上面及び前記第２テーブルプレート３の上面が略平行に配置され、
前記フラットテーブルフレーム４の１つが前記第一テーブルプレー２に略平行に緊結され、２つ目の前記フラットテーブル４が前記第２テーブルプレート３に略平行に緊結されており、
前記リンクプレート９の片側が第一テーブルプレート２の側面に緊結され、該リンクプレート９の他端の略端に第２テーブルフレーム３の側面が前記回転用リベット７により軸動できるように設置されていることを特徴とする、
携帯用テーブル１により課題を解決する。
【０００７】
前記携帯テーブルであって、
前記第１テーブルプレート２に１つの前記フラットテーブルフレーム４が前記第一テーブルプレート２に略平行に固定用リベットによって緊結されていることを特徴とする、
携帯用テーブルにより課題を解決する。
【０００８】
前記携帯用テーブルにおいて、
前記リンクプレート９の片側が第一テーブルプレート２の側面にスペーサ１１を介して緊結され、該リンクプレート9の他端の略端が第２テーブルフレーム３の側面に回転用ワッシャー１０を介して前記回転用リベット７により軸動できるように設置されていることを特徴とする、
携帯用テーブルにより課題を解決する。
【０００９】
前記携帯テーブルにおいて、
前記フラットテーブルフレーム４の両端にはそれぞれ貫通穴が設けられており、接続用ボルト及びナットによりテーブル脚５が回動可能に取り付けられていることを特徴とする、
携帯用テーブルにより課題を解決する。
【００１０】
前記携帯テーブルにおいて、
前記テーブル脚５はチャネル材であり、前記テーブル脚５の該チャンネル材の内側の両壁と前記フラットテーブルフレーム４の側面とを回動できるように取り付けられ、ドアのように開閉できることを特徴とする、
携帯用テーブルにより課題を解決する。
【００１１】
前記携帯テーブルにおいて、
前記第１テーブルプレート２及び前記第２テーブルプレート３の側壁面には回転止めノッチが設けられており、前記第１テーブルプレート２と前記第２テーブルプレート３とを開いた時に、その開き角が制限され、前記第１テーブルプレート２の上面と前記第２テーブルプレート３の上面とが略平らになることを特徴とする、
携帯用テーブルにより課題を解決する。
【考案の効果】
【００１２】
考案の携帯テーブル１は、前記第１テーブルプレート２と前記第２テーブルプレート３とが前記回転用リベット７により回動することによりコンパクトになり、且つ、テーブル脚５をフラットテーブルプレート４の裏側に折りたたむことにより、収納時に全体体積が縮小でき、ユーザーが持ち運びや収納に便利であるという効果がある。
【図面の簡単な説明】
【００１３】
【図１】携帯用テーブルの上方から見た斜視図
【図２】携帯用テーブルの下方斜めから見た斜視図
【図３】携帯用テーブルの下方から見た概略図
【考案を実施するための形態】
【００１４】
次に、添付の図面を参照しながら実施例により本考案の実施の形態について詳しく説明する。これは本考案の一例であって本考案をこれに限定するものではない。
【実施例】
【００１５】
携帯用テーブル１は、主に第１テーブルプレート２、第２テーブルプレート３、２個の木製のフラットテーブルフレーム４、４個のテーブル脚５、リンクプレート９、回転用リベット７から構成される。前記第１テーブルプレート２の上面及び前記第２テーブルプレート３の上面は略平行に配置されている。
【００１６】
木製の前記フラットテーブルフレーム４は、前記第1テーブルプレート２及び前記第２テーブルプレート３の端に取り付けられる。
【００１７】
前記第１テーブルプレート２及び前記第２テーブルプレート３の両側の側壁面には、それぞれ接続耳部６が設けられており、
１つの前記フラットテーブルフレーム４が前記第１テーブルプレート２の両側にある接続耳部６においてフラットテーブルフレーム固定用螺子１４により緊結されている。
２つ目の前記フラットテーブル４が前記第２テーブルプレート３の両側にある接続耳部６においてフラットテーブルフレーム固定用螺子１４により略平行に緊結されている。
【００１８】
前記第２テーブルプレート３には略円形の接続部が設けられている。該略円形の接続部はリンクプレート９と回転用リベット７により回動できるように取り付けられる。これにより、前記第１テーブルプレート２及び前記第２テーブルプレート３は自由に折りたたむことができる。
【００１９】
前記第１テーブルプレート２及び前記第２テーブルプレート３の側壁面には回転止めノッチが設けられている。前記第１テーブルプレート２及び前記第２テーブルプレート３の側壁面に設けられた前記回転止めノッチにより前記第１テーブルプレート２の上面及び前記第２テーブルプレート３の上面は略平行に設置されている。
【００２０】
図３において、前記リンクプレート９の片側が第一テーブルプレート２の側面にスペーサ１１を介してリンクプレート固定用リベット８により緊結され、該リンクプレート９の他端の略端が第２テーブルフレーム３の側面に回転用ワッシャー１０を介して前記回転用リベット７により軸動できるように設置されている。
【００２１】
前記フラットテーブルフレーム４の両端にはそれぞれ貫通穴が設けられており、該フラットテーブルフレーム４の両端の側壁面にはそれぞれテーブル脚接続ボルト１２及びナット１３によりテーブル脚５が取り付けられる。  ２つの前記フラットテーブルフレーム４の上面は、それぞれ第1テーブルプレート２と第２テーブルプレート３の表面に平行に配置される。
【００２２】
前記テーブル脚５はチャネル材であり、前記テーブル脚５のチャンネルの内側の両壁とフラットテーブルフレーム４の側面とをテーブル脚固定用ボルト１２及びナット１３により回動できるように取り付けられ、ドアのように開閉できる。
【００２３】
第１テーブルプレート２とリンクプレート９は、リンクプレート固定用リベット８により緊結されている。第２のテーブルプレート３とリンクプレート９は、回転用ワッシャー１０を介して回転用リベット７により回動可能に係合されている。
【産業上の利用可能性】
【００２４】
前記第１テーブルプレート２と前記第２テーブルプレート３とが前記回転用リベット７により回動することによりコンパクトになり、且つ、テーブル脚５をフラットテーブルプレート４の裏側に折りたたむことにより、収納時に全体体積が縮小でき、ユーザーが持ち運びや収納に便利である携帯テーブルであり、産業上の利用ができる。
【符号の説明】
【００２５】
１：携帯用テーブル、２：第１テーブルプレート、３：第２テーブルプレート、４：木製のフラットテーブルフレーム、５：テーブル脚、６：テーブルプレートの接続耳部、７：回転用リベット、８：リンクプレート固定用リベット、９：リンクプレート、１０：回転用ワッシャー、１１：スペーサ、１２：テーブル脚接続用ボルト、１３：テーブル脚接続用ナット、１４：フラットテーブルフレーム固定用螺子
【図１】
0003233900.tif 000003
【図２】
0003233900.tif 000004
【図３】
0003233900.tif 000005